(57)【要約】【課題】載置するノートパソコン等の発熱機器に対して、高い冷却効果と操作性を維持しつつ、厚みを抑えた吸熱マットが求められていた。【解決手段】  発熱機器の下方に設置される吸熱マット１０であって、載置される前記発熱機器の脚部を支える土台部１１と、前記発熱機器の底面から吸熱する吸熱部１２と、を備える。吸熱部１２は、土台部１１の上面よりも所定の高さ分突き出した状態で配置される。土台部１１は、中央付近に貫通孔を有する弾性部材等からなり、当該貫通孔に吸熱部材を配置することで吸熱部１２が形成される。吸熱部材として、例えば、吸熱性を有する粘弾性ゲルを用いることで、発熱機器の底面に密着して効率良く吸熱を行うと共に、粘弾性ゲルが有する衝撃吸収特性によって、机などに加わった衝撃から発熱機器を保護する。【選択図】図１
2014115885.tif 000002
【特許請求の範囲】
【請求項１】
発熱機器の下方に設置される吸熱マットであって、
載置される前記発熱機器の脚部を支える土台部と、
前記土台部の上面よりも所定の高さ分突き出した状態で配置され、前記発熱機器の底面から吸熱する吸熱部と、
を備える吸熱マット。
【請求項２】
前記土台部は、１ｍｍ〜１５ｍｍの高さを有するシート状の弾性部材からなり、
前記吸熱部は、前記シート状の弾性部材の上面から０．５ｍｍ〜５ｍｍの高さ分突き出した状態で前記シート状の弾性部材の中央付近に配置される吸熱部材からなることを特徴とする、
請求項１に記載の吸熱マット。
【請求項３】
前記土台部を構成する前記シート状の弾性部材は、中央付近に貫通孔を有し、
前記吸熱部材は、前記シート状の弾性部材の上面から０．５ｍｍ〜５ｍｍの高さ分突き出した状態で前記貫通孔に配置されていることを特徴とする、
請求項２に記載の吸熱マット。
【請求項４】
前記貫通孔は、前記弾性部材の上面面積より面積の広い長方形形状の開口を有し、前記開口と略同一形状の断面積を有する直方体形状の吸熱部材が前記貫通孔に嵌め込まれることで前記吸熱部が形成されてなることを特徴とする、
請求項３に記載の吸熱マット。
【請求項５】
前記吸熱部材は、硫酸ナトリウムとベントナイトを主成分とし、更に炭素繊維を含む充填材を混入した恒温冷媒を密封した封袋で構成されることを特徴とする、
請求項２乃至４のいずれか１項に記載の吸熱マット。
【請求項６】
前記弾性部材は、圧縮弾性率が５０〜５００ｋＰａであるスポンジ弾性体であることを特徴とする、
請求項２乃至５のいずれか１項に記載の吸熱マット。
【請求項７】
前記弾性部材の上面と前記吸熱部材の上面とを一体として覆う熱伝導性シートを更に備えることを特徴とする、
請求項２乃至６のいずれか１項に記載の吸熱マット。
【請求項８】
前記弾性部材よりも薄くて圧縮弾性率の高いシート状部材が前記弾性部材の底面に張り付けられていることを特徴とする、
請求項２乃至７のいずれか１項に記載の吸熱マット。
【請求項９】
前記発熱機器は、本体とディスプレイとが回動可能な状態で連結されているノートパソコンであり、
前記土台部は、載置される前記ノートパソコンの本体底面の四隅にそれぞれ配置された四カ所の脚部を支え、
前記吸熱部は、前記本体底面における前記四カ所の脚部の内側の領域と密着することで、前記ノートパソコンの本体底面から吸熱することを特徴とする、
請求項１乃至8のいずれか１項に記載の吸熱マット。
【請求項１０】
本体とディスプレイとが回動可能な状態で連結されているノートパソコンに取り付けられる保護カバーであって、
載置されるノートパソコンの本体底面の四隅にそれぞれ配置されている脚部を支える弾性部材と、
前記弾性部材の上面よりも所定の高さ分突き出した状態で配置され、前記ノートパソコンの本体底面から吸熱する吸熱部材と、
を備える第１カバー部と、
前記ディスプレイ背面に取り付けられる弾性部材を備える第２カバー部と、
を少なくとも有することを特徴とする保護カバー。
【請求項１１】
タッチパネル式ディスプレイとコンピュータが一体となったタブレットコンピュータに取り付けられる保護カバーであって、
載置されるタブレットコンピュータの底面に取り付けられる弾性部材と、
前記弾性部材の上面よりも所定の高さ分突き出した状態で配置され、前記タブレットコンピュータの本体底面から吸熱する吸熱部材と、
を備える第１カバー部と、
着脱可能又は開閉可能な形態で、前記タッチパネル式ディスプレイを覆う弾性部材を備える第２カバー部を有し、
前記第２カバー部は、着脱可能、もしくは、開閉可能な形態で取り付けられ、収納時や輸送時にタッチパネル式ディスプレイを保護する弾性部材を備えることを特徴とする保護カバー。
【発明の詳細な説明】
【技術分野】
【０００１】
本発明は、発熱機器の温度上昇を緩和する吸熱マットに関し、特にノートパソコンなどのデジタル電子機器の使用時に発生する発熱に伴う性能低化を防ぐ吸熱マットに関する。
【背景技術】
【０００２】
ＬＡＮやインターネットの普及に伴い、あらゆるオフィス業務のコンピュータ化が進んでいる。近年は、一人一台のパソコン利用環境が整ったことに伴って、据置型のデスクトップパソコンから、場所を取らず、持ち運びや片付けの簡単なノートパソコンへの転換が急速に進んでいる。その結果、オフィスには数十台から百台以上のノートパソコンが作業机に置かれる状態となっている。
【０００３】
ノートパソコンは、便利で十分な機能を備えているが、小型軽量化のために冷却機能の一部が取り除かれているため、長時間使用すると発熱してパフォーマンスが低下するなどの障害が起きることがある。このような現状を鑑みて、ノートパソコンの冷却機能を補助する用具の開発が進められている。
【０００４】
このような用具として、ノートパソコン用の下敷きマットが開発されている。特許文献１には、ニット素材のような内部が中空であるシート材をノートパソコンとデスクの間に配置することで、ノートパソコン下方の空気の流れを促進して冷却効果を高める方法が開示されている。また、特許文献２には、同様の効果を得ることを目的として、ノートパソコンとの接触面に網目状の開口を有し、内部に通風路を設けた通風隙間形成用シートが開示されている。
【０００５】
また、特許文献３には、通気経路を形成することによる冷却に変えて、吸熱による冷却を行うシートが開示されている。特許文献３に開示のシートでは、可撓性を有するフィルムで形成される扁平なケース内部に流動性のある吸熱剤を密封した構造を有することを特徴としている。
【先行技術文献】
【特許文献】
【０００６】
【特許文献１】特開２００２−３６６２６１号公報
【特許文献２】特開２００７−６５８５１号公報
【特許文献３】実用新案登録第３０７５６９０号公報
【発明の概要】
【発明が解決しようとする課題】
【０００７】
上記先行文献１、２に開示のシートにおいて、充分な冷却効果を得るためには、通風路としての空洞を確保して通気性を高める必要があり、結果としてシートの厚みが大幅に増加してしまうという問題がある。
【０００８】
上記先行文献３に記載のシートは、この問題点を解決しているものの、密着性を向上させるために流動性のある吸熱剤を封入した可撓性を有するフィルムで構成されているため、このシートに載置されたノートパソコンが不安定になり、キーボードの操作性が低下してしまうと言った問題を有していた。
【０００９】
本発明は、上記従来の課題を鑑み、高い冷却効果と操作性を維持しつつ、厚みを抑えた吸熱マット及び保護カバーを提供することを目的とする。
【課題を解決するための手段】
【００１０】
本発明の吸熱マットは、発熱機器の下方に設置される吸熱マットであって、少なくとも次の構成要素を備える。
（１）載置される前記発熱機器の脚部を支える土台部、
（２）前記土台部の上面よりも所定の高さ分突き出した状態で配置され、前記発熱機器の底面から吸熱する吸熱部。
【００１１】
また、本発明の保護カバーは、本体とディスプレイとが回動可能な状態で連結されているノートパソコンに取り付けられる保護カバーであって、少なくとも以下の構成要素を備える。
（１）載置されるノートパソコンの本体底面の四隅にそれぞれ配置されている脚部を支える弾性部材と、前記弾性部材の上面よりも所定の高さ分突き出した状態で配置され、前記ノートパソコンの本体底面から吸熱する吸熱部材と、を備える第１カバー部、
（２）前記ディスプレイ背面に取り付けられる弾性部材を備える第２カバー部。
【発明の効果】
【００１２】
本発明によれば、高い冷却効果と操作性を維持しつつ、厚みを抑えた吸熱マット及び保護カバーを提供することができる。
【図面の簡単な説明】
【００１３】
【図１】実施形態１に係る吸熱マットの外観図である。
【図２】実施形態１に係る吸熱マットの六面図である。
【図３】作業机とノートＰＣの間に介在する吸熱マットが衝撃を吸収する様子を模式的に説明する図である。
【図４】実施形態１の変形例に係る吸熱マットの六面図である。
【図５】実施形態２に係る吸熱マットのｙ方向（縦方向）の中央付近の断面図である。
【図６】実施形態３に係る吸熱マットのｙ方向（縦方向）の中央付近の断面図である。
【発明を実施するための形態】
【００１４】
以下、本発明の各実施形態について図面を参照して詳細に説明する。以下の説明において同一の符号が付された部分は実質的に同一の機能を有している。また、発明の明確化のため、重複部分は適宜説明が省略されている。
【００１５】
（実施形態１）
本実施形態１に係る吸熱マットは、載置される発熱機器を安定的に支えると共に、当該発熱機器で発生する熱を吸収する。発熱機器は、使用時に発熱を伴う装置であり、例えばデジタル電子機器がある。
【００１６】
本実施形態１では、発熱機器は、具体的にノートパソコンであるとして説明する。ノートパソコンは、本体部分とディスプレイ部分が回動可能な状態で連結されているデジタル電子機器であり、本体内部にＣＰＵ（Central Processing Unit）やバッテリーなどの発熱を伴う部品を具備する。
【００１７】
通常、ノートパソコンの底面の四隅付近には、底面下方に空間ができるように０．５ｍｍ〜５ｍｍ程度の高さを有する脚部が設置されている。脚部の高さは、ノートパソコンの種類や大きさにより様々であるが、近年では小型化の傾向から脚部の高さが０．５ｍｍ〜３ｍｍ程度と低く設計されている。
【００１８】
当該脚部は、底面に取り付けられた滑り止めストッパであるゴム部材や、底面の一部に形成される突起部分などで構成される。ノートパソコンを載置するデスク等に当該脚部が接触してノートパソコン本体を支えることで、本体底面の下方に通気路となる空間が形成され、底面付近で生じている不要な熱を空気の対流により外部に放熱できるよう設計されている。
【００１９】
図１は、本実施形態１に係る吸熱マット１０の外観図であり、図２は、吸熱マット１０の六面図である。吸熱マット１０は、載置されるノートパソコンの脚部を支える土台部１１と、ノートパソコンの底面から吸熱する吸熱部１２と、を備える。
【００２０】
土台部１１は、中央付近に貫通孔を有するシート状の弾性部材で構成され、当該貫通孔部分に吸熱部１２が配置される。キーボード操作時の操作性を損なわないよう、弾性部材は、１ｍｍ〜１５ｍｍ程度の薄さに設計されている。より好ましくは、１ｍｍ〜３ｍｍ程度の薄さに設計される。
【００２１】
弾性部材は、脚部を安定して支えられるよう、圧縮弾性率Ｅが５０〜５００ｋＰａである部材の中から選択される。このような部材として、内部に無数の細かな孔が空いた多孔質部材であるスポンジがある。
【００２２】
土台部１１は、ノートパソコンの脚部と接触してノートパソコン本体を支えると共に、吸熱部１２の外枠として機能する。従って、本明細書においては、土台部１１のことを外枠部又は額縁部と称することがある。
【００２３】
吸熱部１２は、ノートパソコンの本体底面であって、当該底面の四隅にそれぞれ配置されている四カ所の脚部の内側の領域と接触することで吸熱する。吸熱部１２は、周囲から熱を吸収する吸熱反応を起こす吸熱部材で構成される。土台部１１の中央に設けられた貫通孔部分に、土台部１１の上面よりも所定の高さ分突き出した状態で当該吸熱部材が配置されることで、吸熱部１２が形成される。
【００２４】
吸熱部材がノートパソコン２０の本体底面と接触すると、吸熱反応が促進され、ノートパソコン２０本体で発生している熱が吸熱部材によって吸収される。吸熱反応が完了した後は、接触面付近で吸収された熱は、吸熱部材自体の熱伝導性によって吸熱マット１０の底面側へ伝わり、そこから外部へ放熱される。吸熱部材の熱伝導率が空気の熱伝導率よりも高いため、ノートパソコン２０で発生した熱は、吸熱部材を通って吸熱マット１０の裏側全体より放出される。このような熱伝導経路が形成されることで、ノートパソコン２０が継続して冷却される。
【００２５】
ノートパソコン底面と接触して吸熱できるように、吸熱部１２は、載置されるノートパソコンの脚部の高さに合わせて、土台部１１の上面より０．５ｍｍ〜５ｍｍ程度の高さ分突き出すように設計されている。
【００２６】
吸熱部１２は、ノートパソコン底面に密着した状態を維持できることが好ましい。凹凸があるノートパソコン底面に吸熱部１２が密着することで、熱抵抗となる空隙が減少し、吸熱効果が向上するためである。本実施形態１では、吸熱部１２がノートパソコン底面に密着した状態で、土台部１１がノートパソコンの脚部を支えられるよう、吸熱部１２は変形が容易な吸熱部材で構成される。
【００２７】
例えば、吸熱部１２は、圧縮弾性率Ｅが５０〜５００ｋｐａの関係を満たし、貯蔵弾性率Ｅ′と損失弾性率Ｅ″との比率であるｔａｎδ＝Ｅ″／Ｅ′の値が０.５以上である吸熱部材を用いると良好である。ｔａｎδの値が０．５以上であることで、衝撃や振動に対する高い防振機能も兼ね備える。このような吸熱部材として吸熱ゲルがある。
【００２８】
吸熱ゲルとしては、例えば、硫酸ナトリウムとベントナイトを主成分とし、これに水を適量調合して硫酸ナトリウムを水和させることで生じる飽和液と結晶液の混合物質を用いると良好である。当該結晶は、３２℃前後において、５０Ｋｃａｌ／Ｋｇの融解熱を吸収して融解し、温度が下がると再び結晶化する性質を有している。このように、硫酸ナトリウムとベントナイトを主成分とし、更に炭素繊維を含む充填材を混入した恒温冷媒である吸熱ゲルを封入した熱伝導性の封袋を吸熱部１２とする。
【００２９】
吸熱マット１０は、上述した性質を有する弾性部材と吸熱部材で構成されることで、防振マットとしても機能する。図３は、吸熱マット１０を介在させてデスク３０に置かれているノートパソコン２０を表している。
【００３０】
吸熱マット１０にノートパソコン２０を載置すると、ノートパソコン２０の脚部と同程度の高さ分だけ弾性部材の上面から突き出している吸熱部材がノートパソコン２０の本体底面と接触する。吸熱部材は、ノートパソコン２０の重みで圧縮されてノートパソコン２０の底面に密着する。吸熱部材が圧縮されて変形することで、ノートパソコン２０の脚部と接触する部分の弾性部材が圧縮され、弾性部材の反発力で脚部が支えられる。
【００３１】
この状態でノートパソコン２０やデスク３０に振動や衝撃が加えられたとしても、弾性部材や吸熱部材によって振動や衝撃が吸収されるため、ノートパソコン２０が適切に保護される。
【００３２】
キーボード操作時には、ノートパソコン２０本体に乗せられる手のひらから鉛直方向に力が加わることで、ノートパソコン２０本体の底面が吸熱部材により密着すると共に、脚部がより強く弾性部材に押し付けられて沈み込む。従って、脚部は弾性部材によって安定的に支えられ、キーボードの操作性が保たれる。
【００３３】
以上説明したように、本実施形態１に係る吸熱マット１０によれば、吸熱部１２を囲むように配置された土台部１１がノートパソコン２０の脚部を支えることで操作時の安定性を向上させることができる。
【００３４】
従来の吸熱マットは、平らな吸熱部のみから構成されていたため、ノートパソコンの中央付近が吸熱部で支えられる一方、ノートパソコンの脚部は浮いた状態になっていた。この状態で、キーボードを操作するためにノートパソコン本体の端に手を載せると、回転モーメントによってノートパソコンがぐらついてしまい、安定性と操作性が著しく低いと言う問題があった。
【００３５】
一方、本実施形態１に係る吸熱マット１０によれば、ノートパソコン本体の底面中央付近を吸熱部１２が熱を吸収しながら物理的に支えると共に、土台部１１がノートパソコン本体の底面の四隅に配置された脚部を支える。そのため、安定性と操作性を維持することが可能となる。
【００３６】
また、本実施形態１に係る吸熱マット１０によれば、土台部１１を弾性部材で構成していることを特徴としている。ノートパソコンに加わる衝撃や振動が加わった場合、加えられる力に応じてノートパソコンと接触している弾性部材及び吸熱部材が変形することで衝撃や振動のエネルギーが吸収される。
【００３７】
限られたオフィススペース内の作業では、人の移動や不注意による振動や衝撃がノートパソコンに加わり、ハードディスクや光磁気ディスクのデータ破損などの事態を生じることがある。作業中のノートパソコンの破損や故障は、保存前の貴重な情報の喪失を含め、極めて重大な損害をもたらす。そこで、図３に示すように、防振機能を有する本実施形態１の吸熱マット１０を下敷きとしてノートパソコン２０を使用することで、急激な衝撃等が加えられても、吸熱マット１０が衝撃等を吸収し、ノートパソコン２０を適切に保護することができる。
【００３８】
また、適度な厚みのある土台部１１が周縁部分として設けられていることで、飲料等の液体を作業机上にこぼしたとしても、土台部１１の側面で液体がせき止められるため、ノートパソコンを濡らして破損されることを防ぐことができる。ここで、この効果を高めるため、土台部１１や吸熱部１２は、撥水加工処理を施しておくと更に良好である。また、土台部１１や吸熱部１２に撥水性材料を用いることも好ましい。
【００３９】
なお、上記説明では、吸熱部１２が土台部１１に対して左右前後対称な位置関係で、土台部１１の中央に設置される場合について説明したがこれに限定されるものではない。ノートパソコンにおいて、使用に伴う発熱によってパフォーマンス低下を生じる部品としてＣＰＵが挙げられるが、ノートパソコンの設計上、ＣＰＵは本体内部の中央から外れた場所に配置されることが多い。そこで、ＣＰＵの位置に合わせて、土台部１１に対して左右前後非対称な位置関係で吸熱部１２を配置しても良い。すなわち、土台部１１を構成する弾性部材において、左右前後が非対称な位置に貫通孔を設け、そこに吸熱部材を嵌め込む構成としても良い。
【００４０】
また、上記説明では、土台部１１である弾性部材の中央付近に貫通孔を設け、吸熱部材を嵌め込んで固着させることで吸熱部１２を形成する場合について説明したがこれに限定されるものではない。
【００４１】
例えば、土台部１１の上面中央付近に矩形形状の窪み部分を設け、そこに吸熱部材を嵌め込んで固着させることにより吸熱部１２を形成しても良い。但し、この場合において吸熱部材で吸収された熱が外部に効率良く放熱できるよう、窪み部分の弾性部材の厚さを十分薄くしておくことが好ましい。
【００４２】
吸熱部材として大きな容量を確保して冷却効果を高めると言った観点からは、弾性部材に貫通孔を設け、そこに吸熱部材を嵌め込む構成の方が好ましい。また、ノートパソコンの４カ所の脚部の内側を領域全体と接触するように広い面積を有する吸熱部材を用いることで吸熱効果を高めることができる。一方、吸熱マット１０自体は小型軽量化するために、土台部１１である弾性部材の上面は脚部を支えられる程度の幅があれば十分である。従って、弾性部材の上面面積よりも面積の広い長方形形状の開口を有する貫通孔が当該弾性部材に設けられ、そこに吸熱部材が嵌め込まれることで吸熱部１２が形成される構成とすることが好ましい。
【００４３】
また、弾性部材として熱伝導性を有する材料を用いることで、吸熱部材に吸収された熱が熱伝導性の弾性部材を伝って外部へ効率良く放熱することができる。
【００４４】
また、上記説明では、土台部１１である弾性部材の中央付近に矩形形状の開口を有する貫通孔が設けられ、貫通孔部分に直方体形状の吸熱部材が配置されることで吸熱部１２が形成される場合について説明したが、これに限定されるものではない。貫通孔の開口形状は、楕円形状や波型形状その他任意の形状で良く、また、貫通孔の数を複数としても良く、当該貫通孔に合わせた形状の吸熱部材を嵌め込むことで吸熱部１２を形成することが可能である。
【００４５】
また、吸熱部材を複数の小細胞に分割し、弾性部材に分割された吸熱部材をマトリクス配置することで、吸熱部１２を形成しても良い。
【００４６】
また、図４に示すように、吸熱部１２となる吸熱部材の左右両側に弾性部材を接合することで土台部１１を形成しても良い。その他、吸熱部１２となる吸熱部材の前後両側に弾性部材を接合することで土台部１１を形成しても良い。また吸熱部１２の四隅に弾性部材を接合することで土台部１１を形成しても良い。但し、吸熱マット１０の形を保つ観点から、図１、２に示すように貫通孔を設けた弾性部材に吸熱部材を嵌め込む構成がより好ましい。
【００４７】
なお、上記説明では、載置されるノートパソコンの形状に合わせて、土台部１１は、内部に貫通孔を有する直方体形状である場合について説明したが、これに限定するものではない。土台部１１は、所定の厚みを有するシート状であれば良く、形状自体は直方体形状に限定されるものではない。
【００４８】
また、上記説明では土台部１１を構成する弾性部材はスポンジ弾性体であるものとして説明したがこれに限定されるものではなく、ゴム等の弾性部材を用いることができる。
【００４９】
また、上記説明では、土台部１１は弾性部材から構成されるものとして説明したが、これに限定されるものではない。例えばプラスチックや金属など弾力性を有しない部材を土台部１１として用いることも可能である。このような部材を用いることでノートパソコンの脚部を安定して支えることができる。但し、スポンジなどの弾性部材を用いる場合と比較して防振効果が低くなる。また、脚部が沈み込まないため、吸熱部材とノートパソコンとの密着性が低下する。このような観点から、土台部１１に弾性部材を用いることが好ましい。
【００５０】
（実施形態２）
図５は、本実施形態２に係る吸熱マット４０のｙ方向中央の断面である。本実施形態２に係る吸熱マット４０は、弾性部材４１と、非弾性部材４２と、吸熱部材４３と、を備える。
【００５１】
弾性部材４１と非弾性部材４２は積層されており、当該積層されたシートの中央付近に貫通孔が設けられている。当該積層された弾性部材４１と非弾性部材４２が、ノートパソコンの脚部を支える土台部として機能する。例えば、弾性部材４１としては、スポンジを、非弾性部材４２としては、プラスチックをそれぞれ用いる。
【００５２】
弾性部材４１と非弾性部材４２が積層されたシートの中央付近に設けられている貫通孔には、吸熱部材４３が弾性部材４１の上面より所定の高さ分突き出した状態で配置されている。
【００５３】
吸熱部材４３は、載置されるノートパソコンの底面と接触して吸熱する。吸熱部材４３としては、実施形態１で説明したように、硫酸ナトリウムとベントナイトを主成分とし、更に炭素繊維を含む充填材を混入した恒温冷媒である吸熱ゲルを封入した熱伝導性の封袋を用いることができる。
【００５４】
本実施形態２の吸熱マット４０によれば、非弾性部材４２が枠として機能することで、吸熱マット４０の形状を維持することができる。また、弾性部材４１が脚部と直接接触して支える構成とすることで、安定してノートパソコンを支えることができる。
【００５５】
なお、非弾性部材４２として、プラスチックに変えて金属を用いることも可能である。非弾性部材４２としては、弾性部材４２よりも圧縮弾性率が高い部材であれば良い。また、高い圧縮弾性率を有する第１の弾性部材の上に低い圧縮弾性率を有する第２の弾性部材を積層することで土台部を形成しても良い。このような構成とすることで、高い防振機能と冷却機能を維持することができる。
【００５６】
（実施形態３）
図６は、本実施形態３に係る吸熱マット５０のｙ方向中央の断面図である。吸熱マット５０は、弾性部材４１と、吸熱部材４３と、基盤シート５１と、熱伝導性シート５２と、を備える。
【００５７】
弾性部材４１は、載置されるノートパソコンの脚部を支える土台部として機能する。弾性部材４１は、熱導電性シート５２を介して脚部を支える。弾性部材４１としては、例えば圧縮弾性率Ｅが５０≦Ｅ≦５００ｋＰａであってｔａｎδの値が０＜ｔａｎδ＜０．２５の関係を満たすスポンジ等の部材である。
【００５８】
吸熱部材４３は、ノートパソコンの底面から吸熱を行う吸熱部として機能する。吸熱部材４３は、熱伝導性シート５２を介してノートパソコンの本体底面と接触する。吸熱部材４３は、例えば吸熱ゲルが充填された封袋からなる。吸熱部材４３を覆う部分の熱伝導性シート５２の高さが、弾性部材５１を覆う部分の熱伝導性シート５２の高さよりもノートパソコンの脚部の高さ程度高くなるように吸熱ゲルの充填量が調整される。
【００５９】
基盤シート５１は弾性部材４１よりも薄くて圧縮弾性率が高く、熱伝導性を有するシート状部材であり、吸熱マット５０の底面を構成する。材料中央の貫通孔に吸熱部材４３が嵌め込まれている弾性部材４１の底面に薄いシート状の基盤シート５１が張り付けられる。本実施形態３では、薄いシート状のプラスチック板が基盤シート５１として用いられる。
【００６０】
熱伝導性シート５２は、吸熱マット５０の上面を構成する。熱伝導性シート５２は、弾性部材４１の中央の貫通孔に所定の高さ分突き出した状態で配置されている吸熱部材４３及び当該弾性部材４１を一体として覆う。熱伝導性シート５２としては、シワや折れが生じにくい硬さと柔軟性を有する薄い熱伝導性のシート材が用いられる。また、液体がこぼれた場合に対応できるよう、熱伝導性シート５２は、撥水性を有するシート材であるとさらに良好である。
【００６１】
以上のように、吸熱マット５０は、基盤シート５１、弾性部材４１及び吸熱部材４３、熱伝導性シート５２の順番に積層されてなる。基盤シート５１を備えることで、吸熱マット５０の形状を保ち、裏面より熱を放散させることができる。また、土台部として機能する弾性部材４１と吸熱部として機能する吸熱部材４３とを覆う熱伝導性シート５２を備えることで、ノートパソコンに対する冷却効果を高めることができる。
【００６２】
（他の実施形態）
実施形態１〜３では、吸熱マットをノートパソコンの下敷きマットとして使用する場合について説明した。一方、本発明の実施形態はこれに限定されるものではない。例えば、実施形態１〜３に係る吸熱マットを利用して保護カバーを形成することができる。保護対象である携帯端末がノートパソコンである場合、保護カバー（ノートパソコン用カバー）は、ノートパソコンで発生した不要熱を吸収することでパフォーマンス低下を防止すると共に、振動や衝撃からノートパソコンを保護する。
【００６３】
通常、ノートパソコンは、本体とディスプレイとが回動可能な状態で連結されている。このようなノートパソコンに取り付けられる保護カバーとして、本体部分を保護する第１カバー部と、ディスプレイ部分を保護する第２カバー部とが接続された折り畳み式の形態を取ることができる。
【００６４】
当該第１カバー部は、載置されるノートパソコンの本体底面の四隅にそれぞれ配置されている脚部を支える弾性部材と、当該弾性部材の上面よりも所定の高さ分突き出した状態で配置され、ノートパソコンの本体底面から吸熱する吸熱部材と、を備える。第２カバー部は、ディスプレイ背面に取り付けられ、ディスプレイを保護する弾性部材を備える。
【００６５】
タッチパネル式ディスプレイがパーソナルコンピュータと一体となったタブレットコンピュータの場合、当該第１カバー部は、載置されるタブレットパソコンの底面の外周部に取り付けられる弾性部材と、当該弾性部材の上面よりも所定の高さ分突き出した状態で配置され、タブレットコンピュータの底面から吸熱する吸熱部材と、を備える。第２カバー部は、着脱可能、もしくは、開閉可能な形態で取り付けられ、収納時や輸送時にタッチパネル式ディスプレイを保護する弾性部材を備える。
【００６６】
その他、実施形態１〜３に係る吸熱マットを有するノートパソコン収納袋やノートパソコン収納ケースと言った形態を取ることも可能である。
【００６７】
また、上記説明において、発熱機器は、キーボードとディスプレイ（表示パネル）とを少なくとも備えるノートパソコンであるとして説明したが、これに限定されるものではなく、タッチパネルを有する携帯端末機器や、その他入力手段を有し、使用に伴って不要な発熱を生じる各種電子機器であっても良い。この場合も、本発明の吸熱マットを機器下方に介在させることで、高い冷却効果と操作性を維持しつつ、厚みを抑えた吸熱マットを提供することができる。
【００６８】
なお、本発明の吸熱マットは、吸熱効果によりノートパソコン等のデジタル電子機器を冷却するマットであるため、冷却マット又は冷却シートと称されることがある。また、本発明の吸熱マットは、衝撃や振動を吸収するマットでもあるため、防振マット又は防振シートと称されることがある。その他、こぼれた液体からノートパソコンを保護するマットでもあるため、防濡マット又は防濡シートと称されることがある。
【００６９】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００７０】
本発明は、ノートパソコンなどの発熱を生じる機器の下敷きマットや機器を保護する保護カバー、収納ケース等に利用することができる。
【符号の説明】
【００７１】
１０  吸熱マット
１１  土台部
１２  吸熱部
２０  ノートパソコン
３０  デスク
４０  吸熱マット
４１  弾性部材
４２  非弾性部材
４３  吸熱部材
５０  吸熱マット
５１  基盤シート
５２  熱伝導性シート
【図２】
2014115885.tif 000003
【図４】
2014115885.tif 000004
【図５】
2014115885.tif 000005
【図６】
2014115885.tif 000006
【図１】
2014115885.tif 000007
【図３】
2014115885.tif 000008